(57)【要約】【課題】、軽油と尿素水溶液の両方が給液でき、狭い既設の給油所でも設置できる給液装置を提供する。【解決手段】貯液タンク（６）に接続した給液管（５）にポンプ（９）及び流量計（１１）を介装し、給液管（５）に接続した給液ホース（１２）の先端に給液ノズル（１３）を設けた軽油用の給液機構（３）と、貯液タンク（８）に接続した給液管（７）にポンプ（１６）及び流量計（１８）を介装し、給液管（７）に接続した給液ホース（１９）の先端に給液ノズル（２０）を設けた尿素水溶液用の給液機構（４）と、両給液機構（３、４）の給液を制御し、各流量計（１１、１８）から流量信号を受けて給液量を演算し、演算した給液量を各給液量表示器（２４、２６）に表示する制御装置（２３）とを一つのハウジング（２）に設けている。【選択図】図１
2007230571.tif 000002
【特許請求の範囲】
【請求項１】
貯液タンクに接続した給液管にポンプ及び流量計を介装し、給液管に接続した給液ホースの先端に給液ノズルを設けた軽油用の給液機構と、貯液タンクに接続した給液管にポンプ及び流量計を介装し、給液管に接続した給液ホースの先端に給液ノズルを設けた尿素水溶液用の給液機構と、両給液機構の給液を制御し、各流量計から流量信号を受けて給液量を演算し、演算した給液量を各給液量表示器に表示する制御装置とを一つのハウジングに設けたことを特徴とする給液装置。
【請求項２】
前記ハウジングには給液額表示器が設けられ、前記制御装置は各給液機構の給液量に基づく給液額を演算し、給液終了後に両給液額を合算して給液額表示器に表示する請求項１に記載の給液装置。
【請求項３】
前記ハウジングにはスピーカが設けられ、前記制御装置は各給液機構による給液終了後に次の操作をスピーカから発声する請求項１又は２に記載の給液装置。
【発明の詳細な説明】
【技術分野】
【０００１】
本発明は、自動車へ燃料油を給液する給油所に設置される給液装置で、特にヂィーゼルエンジン車へ軽油及び尿素水溶液を給液する給液装置に関する。
【背景技術】
【０００２】
ヂィーゼルエンジンはガソリンエンジンに比べて熱効率が高くて燃費がよく、構造上の耐久性も高いために、大型のトラック等に多用されている。しかし、ヂィーゼルエンジンは、エンジンの構造および燃料の軽油の特性から、呼吸器系への健康被害が懸念される粒子状物質（ＰＭ）や、光化学スモックの発生要素と言われている窒素酸化物（ＮＯｘ）等を含む排気ガスをガソリンエンジンに比べて多く排出する問題がある。
【０００３】
特許文献１に示すように、排気ガスに５％程度の尿素水溶液を噴射して触媒中を通過させることにより、窒素酸化物を窒素と水に還元し、粒子状物質及び窒素酸化物を低減する技術が知られている。
このような排ガス浄化システムを装着した自動車が普及するにつれて、尿素水溶液を給液する計量機の要望が高まり、本出願人は特許文献２に示すように、尿素水溶液用の計量機を提案している。
【０００４】
この提案は有効であるが、尿素水溶液専用の計量機を設置することになり、狭い給油所では既設の軽油用の計量機に隣接して尿素水溶液用の計量機を設置することが困難である。そして、軽油と尿素水溶液は同時に給液することが多く、軽油と尿素水溶液の両方が給液できる給液装置の要望が高まっている。
【特許文献１】特開２００４−１３２２８６号
【特許文献２】特願２００５−２９１１０３号
【発明の開示】
【発明が解決しようとする課題】
【０００５】
本発明は上記に鑑みてなされたもので、軽油と尿素水溶液の両方が給液でき、狭い既設の給油所でも設置できる給液装置を提供することを目的としている。
【課題を解決するための手段】
【０００６】
本発明によれば、貯液タンク（６）に接続した給液管（５）にポンプ（９）及び流量計（１１）を介装し、給液管（５）に接続した給液ホース（１２）の先端に給液ノズル（１３）を設けた軽油用の給液機構（３）と、貯液タンク（８）に接続した給液管（７）にポンプ（１６）及び流量計（１８）を介装し、給液管（７）に接続した給液ホース（１９）の先端に給液ノズル（２０）を設けた尿素水溶液用の給液機構（４）と、両給液機構（３、４）の給液を制御し、各流量計（１１、１８）から流量信号を受けて給液量を演算し、演算した給液量を各給液量表示器（２４、２６）に表示する制御装置（２３）とを一つのハウジング（２）に設けている。
【０００７】
そして本発明によれば、前記ハウジング（２）には給液額表示器（２８）が設けられ、前記制御装置（２３）は各給液機構（３、４）の給液量に基づく給液額を演算し、給液終了後に両給液額を合算して給液額表示器（２８）に表示するようになっている。
【０００８】
さらに本発明によれば、前記ハウジング（２）にはスピーカ（２９）が設けられ、前記制御装置（２３）は各給液機構（３、４）による給液終了後に次の操作をスピーカ（２９）から発声するようになっている。
【発明の効果】
【０００９】
（１）  軽油用の給液機構と尿素水溶液用の給液機構とを一つのハウジングに設けたので、両液が同じ場所で給液でき、作業効率の向上が図られるようになる。
（２）  軽油用の給液機構と尿素水溶液用の給液機構とを一つのハウジングに設けたので、狭い既設の給油所でも設置できるようになる。
（３）  軽油の給液に連続して尿素水溶液の給液を促せるので、尿素水溶液の促販が図られるようになる。
【発明を実施するための最良の形態】
【００１０】
以下、本発明の実施の形態を図に基づいて説明する。
図１は本発明の給液装置の全体を示す模式図で、図２は本発明の制御関係を示すブロック図である。
【００１１】
図１に示すように、本発明の給液装置１のハウジング２内には、第１の給液機構３と第２の給液機構４が設けられている。そして、第１の給液機構３の給液管５は第１の液の貯液タンク６に接続され、第２の給液機構４の給液管７は第２の液の貯液タンク８に接続されている。
【００１２】
第１の給液機構３の給液管５には、ポンプ９、開閉弁１０、流量計１１が介装され、ハウジング２から導出された給液管５には給液ホース１２が接続され、給液ホース１２の先端には給液ノズル１３が設けられている。そして、給液ノズル１３はハウジング２に設けられたノズル掛け１４に掛けられ、ノズル掛け１４にはノズルスイッチ１５が設けられている。
【００１３】
第２の給液機構４の給液管７には、ポンプ１６、開閉弁１７、流量計１８が介装され、ハウジング２から導出された給液管７には給液ホース１９が接続され、給液ホース１９の先端には給液ノズル２０が設けられている。そして、給液ノズル２０はハウジング２に設けられたノズル掛け２１に掛けられ、ノズル掛け２１にはノズルスイッチ２２が設けられている。
【００１４】
また、ハウジング２内には、第１及び第２の給液機構３、４の給液を制御する制御装置２３、第１の給液機構３の給液量表示器２４及び報知ランプ２５、第２の給液機構４の給液量表示器２６及び報知ランプ２７、及び両給液機構３、４に共用の給液額表示器２８及びスピーカ２９が設けられている。
【００１５】
図２に示すように、制御装置２３から、ポンプ９、１６へ駆動信号が、開閉弁１０、１７へ開閉信号が出力されている。そして、流量計１１、１８から計量信号が、ノズルスイッチ１５、２２からオン・オフ信号が制御装置２３へ入力するようになっている。
さらに、制御装置２３から、給液量表示器２４、２６へ給液量表示信号が、給液額表示器２８へ給液額表示信号が、ランプ２５、２７へ点滅信号が、スピーカ２９へ発声信号が出力されるようになっている。
【００１６】
次に図３のフロー図に基づいて、本発明の給液装置１の動作を説明する。
貯液タンク６には軽油が入れられていて、第１の給液機構３から軽油が給液され、そして、貯液タンク８には尿素水溶液が入れられていて、第２の給液機構４から尿素水溶液が給液されるようになっているものとする。
【００１７】
まず、軽油だけを給油する場合について説明する。
軽油だけを給液するには、第１の給液機構３の給液ノズル１３をノズル掛け１４から外しておこなう。
【００１８】
ノズル掛け１４から給液ノズル１３が外され、ノズルスイッチ１５のオン信号が制御装置２３へ入力すると（ＳＴ１）、制御装置２３は給液量表示器２４、２６及び給液額表示器２８を帰零し、第１の給液機構３の開閉弁１０を開き、ポンプ９を駆動する（ＳＴ２）。
【００１９】
給液ノズル１３を自動車の軽油タンクへ挿入して給液を開始すると、貯液タンク６内の軽油は給液管５、ポンプ９、開閉弁１０、流量計１１、及び給液ホース１２を介して給液ノズル１３から自動車の軽油タンクへ給液される。
給液に伴う流量計１１の計量信号は制御装置２３へ入力し（ＳＴ３）、制御装置２３で給液量が演算され、給液量が給液量表示器２４に表示される（ＳＴ４）。
【００２０】
所望量の給液後に給液ノズル１３をノズル掛け１４に掛け、ノズルスイッチ１５のオフ信号が制御装置２３へ入力すると（ＳＴ５）、制御装置２３はポンプ９を停止し、開閉弁１０を閉じ、ランプ２５を点滅し、スピーカ２９から例えば「軽油の給液が終わりました。尿素は隣の給液ノズルから給液してください」と発声して作業案内がおこなわれる（ＳＴ６）。
【００２１】
今回は軽油だけの給液であるので、一定時間、例えば３０秒間が経過すると（ＳＴ７）、制御装置２３は軽油の給液金額を演算し、給液金額を給液額表示器２８へ表示し、スピーカ２９から例えば「精算をして下さい」と発声して作業案内がおこなわれる（ＳＴ８）。そして、給液額表示器２８に表示された金額に基づいて精算をし、給液作業を終了する。
【００２２】
次に軽油の給液後に連続して尿素水溶液を給液する場合について説明する。
軽油の給液後に連続して尿素水溶液を給液するには、軽油を給液してから一定時間以内（ＳＴ７）、に第２の給液機構４の給液ノズル２０をノズル掛け２１から外しておこなう。
ノズル掛け２１から給液ノズル２０が外され、ノズルスイッチ２２のオン信号が制御装置２３へ入力すると（ＳＴ９）、制御装置２３は、第２の給液機構４の開閉弁１７を開き、ポンプ１６を駆動する（ＳＴ１０）。
【００２３】
給液ノズル２０を自動車の尿素タンクへ挿入して給液を開始すると、貯液タンク８内の尿素水溶液は給液管７、ポンプ１６、開閉弁１７、流量計１８、及び給液ホース１９を介して給液ノズル２０から自動車の尿素タンクへ給液される。
給液に伴う流量計１８の計量信号は制御装置２３へ入力し（ＳＴ１１）、制御装置２３で給液量が演算され、給液量が給液量表示器２６に表示される（ＳＴ１２）。
【００２４】
所望量の給液後に、給液ノズル２０をノズル掛け２１に掛け、ノズルスイッチ２２のオフ信号が制御装置２３へ入力すると（ＳＴ１３）、制御装置２３は軽油及び尿素水溶液の給液額を演算し、合計給液額を金額表示器２８へ表示し、ポンプ１６を停止し、開閉弁１７を閉じ、ランプ２７を点滅し、スピーカ２９から例えば「尿素の給液が終わりました。精算をして下さい」と作業案内がおこなわれる（ＳＴ１４）。そして、給液額表示器２８に表示された合計金額に基づいて精算をし、給液作業を終了する。
【００２５】
また、尿素水溶液だけを給液する場合について説明する。
尿素のみを給液するには、第２の給液機構４の給液ノズル２０をノズル掛け２１から外しておこなう。
ノズル掛け２１から給液ノズル２０が外され、ノズルスイッチ２２のオン信号が制御装置２３へ入力すると（ＳＴ１５）、制御装置２３は給液量表示器２４、２６及び給液額表示器２８を帰零し、第２の給液機構４の開閉弁１７を開き、ポンプ１６を駆動する（ＳＴ２）。
【００２６】
給液ノズル２０を自動車の尿素タンクへ挿入して給液を開始すると、貯液タンク８内の尿素水溶液は給液管７、ポンプ１６、開閉弁１７、流量計１８、及び給液ホース１９を介して給液ノズル２０から自動車の尿素タンクへ給液される。
給液に伴う流量計１８の計量信号は制御装置２３へ入力し（ＳＴ３）、制御装置２３で給液量が演算され、給液量が給液量表示器２６に表示される（ＳＴ４）。
【００２７】
所望量の給液後に給液ノズル２０をノズル掛け２１に掛け、ノズルスイッチ２２のオフ信号が制御装置２３へ入力すると（ＳＴ５）、制御装置２３はポンプ１６を停止し、開閉弁１７を閉じ、ランプ２７を点滅し、スピーカ２９から例えば「尿素の給液が終わりました。軽油は隣の給液ノズルから給液してください」と作業案内がおこなわれる（ＳＴ６）。
【００２８】
尿素水溶液だけの給液であるので、一定時間、例えば３０秒間が経過すると（ＳＴ７）、制御装置２３は尿素水溶液の給液金額を演算し、給液金額を給液額表示器２８へ表示し、スピーカ２９から例えば「精算をして下さい」と作業案内がおこなわれる（ＳＴ８）。そして、給液額表示器２８に表示された金額に基づいて精算をし、給液作業を終了する。
【００２９】
最後に尿素水溶液の給液後に連続して軽油を給液する場合について説明する。
尿素水溶液の給液後に連続して軽油を給液するには、尿素水溶液を給液してから一定時間以内（ＳＴ７）、に第１の給液機構３の給液ノズル１３をノズル掛け１４から外しておこなう。
ノズル掛け１４から給液ノズル１３が外され、ノズルスイッチ１５のオン信号が制御装置２３へ入力すると（ＳＴ９）、制御装置２３は、第１の給液機構３の開閉弁１０を開き、ポンプ９を駆動する（ＳＴ１０）。
【００３０】
給液ノズル１３を自動車の軽油タンクへ挿入して給液を開始すると、貯液タンク６内の軽油は給液管５、ポンプ９、開閉弁１０、流量計１１、及び給液ホース１２を介して給液ノズル１３から自動車の軽油タンクへ給液される。
給液に伴う流量計１１の計量信号は制御装置２３へ入力し（ＳＴ１１）、制御装置２３で給液量が演算され、給液量が給液量表示器２４に表示される（ＳＴ１２）。
【００３１】
所望量の給液後に給液ノズル１３をノズル掛け１４に掛け、ノズルスイッチ１５のオフ信号が制御装置２３へ入力すると（ＳＴ１３）、制御装置２３は尿素水溶液及び軽油の給液額を演算し、合計給液額を金額表示器２８へ表示し、ポンプ９を停止し、開閉弁１０を閉じ、ランプ２５を点滅し、スピーカ２９から「軽油の給液が終わりました。精算をして下さい」と作業案内がおこなわれる（ＳＴ１４）。そして、給液額表示器２８に表示された合計金額に基づいて精算をし、給液作業を終了する。
【００３２】
上述したように、本発明の給液装置は、軽油だけの給液、軽油に連続して尿素水溶液の給液、尿素水溶液だけの給液、尿素水溶液に連続して軽油の給液、の４パターンの給液を一台の給液装置でおこなうことができる。
なお、上述した実施の形態では、給液後に給液金額を表示しているが、給液中に常に給液金額を表示するようにしてもよい。
【産業上の利用可能性】
【００３３】
軽油用の給液機構と尿素水溶液用の給液機構とを一つのハウジングに設けたので、作業効率が向上し、尿素水溶液の促販が図られる給液装置が提供できる。
【図面の簡単な説明】
【００３４】
【図１】本発明の給液装置の全体を示す模式図。
【図２】給液装置の制御関係を示すブロック図。
【図３】給液装置の制御の態様を示すフロー図。
【符号の説明】
【００３５】
１・・・給液装置
２・・・ハウジング
３・・・第１の給液機構
４・・・第２の給液機構
５、７・・・給液管
６、８・・・貯液タンク
９、１６・・・ポンプ
１０、１７・・・開閉弁
１１，１８・・・流量計
１２、１９・・・給液ホース
１３、２０・・・給液ノズル
１４、２１・・・ノズル掛け
１５、２２・・・ノズルスイッチ
２３・・・制御装置
２４、２６・・・給液量表示器
２５、２７・・・ランプ
２８・・・給液額表示器
２９・・・スピーカ
【図１】
2007230571.tif 000003
【図２】
2007230571.tif 000004
【図３】
2007230571.tif 000005